(57)【要約】  マルチバンド伝送を可能にするための方法および装置は、第１の無線帯域上でビーコンを送信することと、第２の無線帯域上でビーコンを送信することとを含む。ビーコンは、第１および第２の無線帯域上での伝送のための調整情報を含む。
2010512114.tif 000002
【特許請求の範囲】
【請求項１】
マルチバンド伝送を可能にするための方法であって、
第１の無線帯域上でビーコンを送信するステップと、
第２の無線帯域上で前記ビーコンを送信するステップと
を具え、
前記ビーコンは前記第１および第２の無線帯域上での伝送のための調整情報を含むことを特徴とする方法。
【請求項２】
前記第１および第２の無線帯域にわたってビーコン期間の開始時間を調整することをさらに具えたことを特徴とする請求項１記載の方法。
【請求項３】
前記第１の無線帯域から前記第２の無線帯域に切り換えるステップと、前記第２の無線帯域上でビーコンを送信する前に前記第２の無線帯域上の前記ビーコンに関して監視するステップとをさらに具えたことを特徴とする請求項１記載の方法。
【請求項４】
前記第１の無線帯域は前記第２の無線帯域に隣接していることを特徴とする請求項１記載の方法。
【請求項５】
前記第１の無線帯域は前記第２の無線帯域に隣接していないことを特徴とする請求項１記載の方法。
【請求項６】
マルチバンド伝送を可能にするための方法であって、
無線送信／受信ユニット（ＷＴＲＵ）の第１の無線機が第１の無線帯域上で送信するステップと、
前記ＷＴＲＵの第２の無線機が第２の無線帯域上で送信するステップと、
ビーコンフレームの存在を決定するために前記伝送メディアを監視するステップと、
前記決定に応じてビーコン期間（ＢＰ）を生成するステップと、
前記第１および第２の無線帯域上でビーコンフレームを送信するステップと
を具え、前記ビーコンフレームは前記第１および第２の無線帯域上での伝送のための同期化情報を含み、前記第１の無線機は前記第１の無線帯域上で前記ビーコンフレームを送信し、前記第２の無線機は前記第２の無線帯域上で前記ビーコンフレームを送信することを特徴とする方法。
【請求項７】
前記第１および第２の無線帯域上でビーコン期間の開始時間を調整することをさらに具えたことを特徴とする請求項６記載の方法。
【請求項８】
同期化情報を含むようにＢＰ切換情報要素（ＩＥ）を構成することをさらに具えたことを特徴とする請求項７記載の方法。
【請求項９】
拡張帯域幅伝送（ＥＢＴ）ＢＰ切換ＩＥを前記ビーコンフレームに追加することをさらに備え、前記ＥＢＴ  ＢＰ切換ＩＥは新しいビーコンタイミング値および新しいＢＰに変える時間を示すフィールドを含むことを特徴とする請求項７記載の方法。
【請求項１０】
前記ビーコンフレームは前記第１および第２の無線帯域上で同時に送信されることを特徴とする請求項６記載の方法。
【請求項１１】
前記ビーコンフレームは前記第１および第２の無線帯域上で順に送信されることを特徴とする請求項６記載の方法。
【請求項１２】
前記ビーコンフレームは前記ＷＴＲＵのＥＢＴ能力を含むことを特徴とする請求項６記載の方法。
【請求項１３】
ＥＢＴ能力は、既定のチャネルおよび既定の拡張チャネルのうちのいずれか１つを含むことを特徴とする請求項１２記載の方法。
【請求項１４】
受信機と、
送信機と、
前記受信機および前記送信機と通信するプロセッサと
を備え、前記プロセッサは、第１の無線帯域上でビーコンを送信し、第２の無線帯域上で前記ビーコンを送信するように構成され、前記ビーコンは前記第１および第２の無線帯域上での伝送に関する調整情報を含むことを特徴とする無線送信／受信ユニット（ＷＴＲＵ）。
【請求項１５】
前記プロセッサは、前記第１および第２の無線帯域にわたってビーコン期間の開始時間を調整するようにさらに構成されたことを特徴とする請求項１４記載のＷＴＲＵ。
【請求項１６】
前記プロセッサは、前記第１の無線帯域から前記第２の無線帯域に切り換え、前記第２の無線帯域上でビーコンを送信する前に前記第２の無線帯域上の前記ビーコンに関して監視するようにさらに構成されたことを特徴とする請求項１４に記載のＷＴＲＵ。
【請求項１７】
受信機と、
第１の送信機と、
第２の送信機と、
前記受信機ならびに前記第１および第２の送信機と通信するプロセッサと
を備え、前記プロセッサは、第１の無線帯域上で送信するために前記第１の送信機を制御し、第２の無線帯域上で送信するために前記第２の送信機を制御し、ビーコンフレームの存在を決定するために前記伝送メディアを監視し、前記決定に応じてビーコン期間（ＢＰ）を生成し、前記第１および第２の無線帯域上でビーコンフレームを送信するように構成され、前記ビーコンフレームは前記第１および第２の無線帯域上での伝送のための同期化情報を含み、前記第１の無線機は前記第１の無線帯域上で前記ビーコンフレームを送信し、前記第２の無線機は前記第２の無線帯域上で前記ビーコンフレームを送信することを特徴とする無線送信／受信ユニット（ＷＴＲＵ）。
【請求項１８】
前記プロセッサは、前記第１および第２の無線帯域上でビーコン期間の開始時間を調整するようにさらに構成されたことを特徴とする請求項１７記載のＷＴＲＵ。
【請求項１９】
前記プロセッサは、同期化情報を含むようにＢＰ切換情報要素（ＩＥ）を構成するようにさらに構成されたことを特徴とする請求項１７記載のＷＴＲＵ。
【請求項２０】
前記プロセッサは、拡張帯域幅伝送（ＥＢＴ）ＢＰ切換ＩＥを前記ビーコンフレームに追加するようにさらに構成され、前記ＥＢＴ  ＢＰ切換ＩＥは新しいビーコンタイミング値および新しいＢＰに変える時間を示すフィールドを含むことを特徴とする請求項１７記載のＷＴＲＵ。
【請求項２１】
前記プロセッサは、前記ビーコンフレーム内で前記ＷＴＲＵの拡張帯域幅伝送（ＥＢＴ）能力を送信するようにさらに構成されたことを特徴とする請求項１７記載のＷＴＲＵ。
【請求項２２】
前記ＥＢＴ能力は、既定のチャネルおよび既定の拡張チャネルのうちのいずれか１つを含むことを特徴とする請求項２１記載のＷＴＲＵ。
【発明の詳細な説明】
【技術分野】
【０００１】
本発明は無線通信システムに関する。
【背景技術】
【０００２】
超広帯域（ＵＷＢ）技術はＥＣＭＡ３６８／３６９仕様書の下で標準化されている。具体的にはＥＣＭＡ３６８／３６９規格は、１秒あたり４８０メガビット（Ｍｂｐｓ）までのデータ速度をサポートするＷＴＲＵ用の分散型のメディアアクセス制御（ＭＡＣ）層および物理（ＰＨＹ）層を規定する。物理層は、３．１から１０．６ギガヘルツ（ＧＨｚ）の周波数スペクトルで動作するように設計されており、次世代のブルートゥース（Ｂｌｕｅｔｏｏｔｈ）（登録商標）、無線ユニバーサルシリアルバス（ＷＵＳＢ）および無線ファイヤワイヤ（ＩＥＥＥ１３９４）などの技術用の共通のプラットフォームとして受け入れられている。
【０００３】
ＥＣＭＡ３６８のＰＨＹは、情報を送信するためにマルチバンド直交周波数分割変調（ＭＢ  ＯＦＤＭ）を使用する。ＥＣＭＡ３６８のＰＨＹ仕様書の動作周波数スペクトルは５つの無線帯域グループに分割され、各無線帯域、または同等のキャリア間隔は５２８ＭＨｚである。第１の４つの無線帯域グループは５２８ＭＨｚの３つの無線帯域を有し、第５の帯域グループはそれぞれ５２８ＭＨｚの２つの無線帯域を含む。第１の無線帯域グループ内で動作する能力は必須である。しかし、他の無線帯域グループ内での動作は任意選択である。
【０００４】
ＥＣＭＡ３８６のＭＡＣ層は、完全な分散型アーキテクチャを有し、より高い層のプロトコルにまたはアダプテーション層にＭＡＣサービスを提供する。中央の調整装置はなく、各装置がすべてのＭＡＣ機能をサポートする。無線範囲内の装置は、定期的なビーコンフレームを使用して互いに調整する。これらのビーコンフレームは、ネットワークのタイミング、スケジューリングおよび能力情報、ならびに他の情報および機能を提供する。
【０００５】
ビーコンフレームが情報を提供する１つの方法は、ビーコンフレーム内またはコマンドフレーム内に含まれる情報要素（ＩＥ）を介してである。このＩＥは、ビーコン期間（ＢＰ）切換ＩＥおよび／または分散型予約プロトコル（ＤＲＰ）ＩＥを含むことができる。具体的にはＢＰ切換ＩＥは、要素ＩＤフィールド、長さフィールド、ＢＰ移動カウントダウンフィールド、ビーコンスロットオフセットフィールド、およびＢＰ開始（ＢＰＳＴ）オフセットフィールドを含むことができる。
【０００６】
さらに、ＥＣＭＡ３６８からのＭＡＣスーパフレーム構造は、ビーコン期間（ＢＰ）およびメディアアクセススロット（ＭＡＳ）を含む。
【０００７】
ＥＣＭＡ３６８／３６９規格によって現在サポートされる機構および速度に関する１つの問題は、それがＨＤＴＶ形式に応じて１Ｇｂｐｓ以上のデータ速度を必要とする高精細度ＴＶ（ＨＤＴＶ）などのアプリケーションをサポートするには不十分でありうることである。
【発明の概要】
【発明が解決しようとする課題】
【０００８】
したがって、次世代（ＮＧ）ＵＷＢでより高いデータ速度を可能にすることができるマルチバンド伝送を可能にするための方法および装置を提供することが有益であろう。
【課題を解決するための手段】
【０００９】
マルチバンド伝送を可能にするための方法および装置を開示する。この方法は、第１の無線帯域上でビーコンを送信することと、第２の無線帯域上でビーコンを送信することとを含む。ビーコンは第１および第２の無線帯域上での伝送のための調整情報を含む。
【００１０】
より詳細な理解が、例として与えられ、添付図面と共に理解されるべき下記の説明からなされることができる。
【図面の簡単な説明】
【００１１】
【図１】互いに通信する複数のＷＴＲＵを含む分散型無線通信システムの一例を示す図である。
【図２】図１のＷＴＲＵの機能的構成図である。
【図３】マルチバンド伝送を可能にする方法の流れ図である。
【図４】マルチバンド伝送を可能にする代替方法の流れ図である。
【発明を実施するための形態】
【００１２】
以下で参照されるとき、専門用語「無線送信／受信ユニット（ＷＴＲＵ）」は、限定されないがユーザ装置（ＵＥ）、移動局、固定のまたはモバイルの加入者ユニット、ポケットベル（ｐａｇｅｒ）、携帯電話、携帯情報端末（ＰＤＡ）、コンピュータ、または無線環境内で動作することができる他の任意の種類のユーザ装置を含む。以下で参照されるとき、専門用語「基地局」は、限定されないがノードＢ（Ｎｏｄｅ−Ｂ）、サイトコントローラ、アクセスポイント（ＡＰ）、または無線環境内で動作することができる他の任意の種類のインターフェース装置を含む。
【００１３】
図１は、複数のＷＴＲＵ１１０を含む分散型無線通信システム１００の一例を示す。図１に示されるように、ＷＴＲＵ１１０のすべては互いに通信する。しかし、３つのＷＴＲＵ１１０が互いに通信することが示されているが、任意の数のＷＴＲＵ１１０が分散型無線通信システム１００内に含まれることができ、あらゆるＷＴＲＵ１１０があらゆる他のＷＴＲＵ１１０と通信することができるまたは通信することができないことに留意されたい。
【００１４】
図２はＷＴＲＵ１１０の機能的構成図である。典型的なＷＴＲＵ内で見いだされることができる構成要素に加えてＷＴＲＵ９１０は、プロセッサ１１５、受信機１１６、送信機１１７、およびアンテナ１１８を含む。プロセッサ１１５は、例として下記でより詳細に説明されるようにマルチバンド伝送を可能にするように構成されている。受信機１１６および送信機１１７はプロセッサ１１５と通信する。アンテナ１１８は、無線データの送信および受信を容易にするために受信機１１６および送信機１１７の両方と通信する。１つの送信機、受信機およびアンテナだけが図２に示されるＷＴＲＵ１１０内に示されているが、ＷＴＲＵ１１０は複数の送信機、受信機およびアンテナを含むことができる。
【００１５】
図３は、マルチバンド伝送を可能にする方法３００の流れ図である。方法３００の実装形態は、ＮＧ  ＵＷＢ技術を具現化するＷＴＲＵに関するデータ速度を提供し増大した。さらに、帯域幅は現在５２８ＭＨｚである２つ以上の無線帯域を使用することによって拡張されることができる。
【００１６】
ステップ３１０では、ＷＴＲＵ１１０は２つ以上の無線帯域上でビーコンを送信する。ビーコンは、２つ以上の無線帯域上でのＷＴＲＵ１１０を用いる伝送の調整に関する情報を含む。伝送は隣接した無線帯域上または隣接しない無線帯域上で行うことができ、無線帯域は単一の無線オプションまたは２つの無線オプションを含むことができる。
【００１７】
ＷＴＲＵ１１０は、無線帯域のすべてにわたってビーコンを調整する、または同期化する（ステップ３２０）。この同期化は、帯域にわたって様々なビーコンに関するビーコン期間（ＢＰ）の開始時間を調整することを含むことができる。あるいは、ＷＴＲＵ１１０は様々な帯域内でのＢＰ開始時間の間の相対的オフセットの情報を有することができる。ＢＰがビーコン伝送継続期間より長く拡張するので、ＢＰの部分的な時間の重なりが生じうる。さらに、重なりのないビーコン伝送が実現されることができる。
【００１８】
ＷＴＲＵ１１０が単一の無線送信機を含む場合、ＷＴＲＵ１１０は、データ速度を増大するために２つ以上の無線帯域上で送信する。例えば、ＷＴＲＵ１１０は隣接した無線帯域上で送信することになる。この場合にはＷＴＲＵ１１０は、拡張帯域幅伝送（ＥＢＴ）のすべての無線帯域内でビーコン期間の開始時間を調整することによってビーコンを同期化する（ステップ１０２０）。
【００１９】
他のシナリオ（ｓｃｅｎａｒｉｏ）ではＷＴＲＵ１１０は、第１の無線帯域上で送信し、次いで第２の無線帯域に切り換え、または「ホップ」し、ここでＷＴＲＵ１１０は、ＢＰ内のビーコンに関して監視し、第２の無線帯域上で送信する。このシナリオの１つの例は、単一の無線機を含むＷＴＲＵ１１０が、１つの無線帯域上でメディアアクセススロット（ＭＡＳ）の半分および他の無線帯域上で半分など、複数の帯域上でリソースを使用する場合を含むことができる。この場合には、様々な帯域上のＢＰは、調整されることができないが既知のオフセットを有することができる。このシナリオでのＷＴＲＵ１１０は、時間の様々な点で両方のビーコンを使用する。このシナリオは、マスタビーコンなどの１つのビーコンを使用して複数の帯域上でＤＲＰを介してリソースを予約することを容易にすることもできる。
【００２０】
あるいは、ＷＴＲＵ１１０は非ビーコン期間（すなわち非ＢＰ）内だけで使用されるＥＢＴを有することができる。例えばＷＴＲＵ１１０は、ＢＰ中に生じる単一の無線帯域伝送を用いて２つの隣接した帯域上で同時に送信する単一の無線送信機を使用することができる。これはビーコン伝送の適切な受信を可能にすることになる。
【００２１】
他のシナリオでは、ＷＴＲＵ１１０は２つ以上の無線送信機を含むことができる。図４は、マルチバンド伝送を可能にする代替方法４００の流れ図である。方法４００で示されるように、ＷＴＲＵ１１０は複数の無線送信機を含む。
【００２２】
ステップ４１０では、ＷＴＲＵ１１０の個々の無線機、または無線送信機が別々の無線帯域上で関わりなく送信する。例えば、第１の無線機は１つの無線帯域上で送信することができ、第２の無線機は第２の無線帯域上で送信する。この場合には、２つのビーコンが、別々の無線帯域を介して送信され、互いに競合しないのでＢＰの同期化または調整の必要がなくてよい。
【００２３】
ＷＴＲＵ１１０は、ビーコンフレームの存在（ステップ４３０）に関して伝送メディアを監視する（ステップ４２０）。ビーコンフレームが存在しない場合（ステップ４３０）、ＷＴＲＵ１１０はＢＰを生成する（ステップ４４０）。具体的には、ＥＢＴのすべての帯域内でＢＰ開始時間の調整が使用され、その結果、すべての帯域内のＷＴＲＵ１１０に関するＥＢＴの予約が調整される。これが実現されることができる１つのシナリオは、すべての無線帯域にわたってＢＰを同期化するためにＢＰ切換ＩＥを再使用することである。
【００２４】
ＷＴＲＵ１１０は、すべての帯域にわたってビーコンの同期化を調整する（ステップ４５０）。１つの例では、ＥＢＴのために備えられたＷＴＲＵ１１０は、それ自体のＢＰにより所与の無線帯域内でビーコンフレームを送信する（ステップ４６０）。このビーコンフレームを受信する他のＷＴＲＵは、ＢＰ切換ＩＥを用いてそれらのＢＰを調整する。例えば、新しいＢＰに切り換える前にＷＴＲＵ１１０は、その以前のＢＰ上でビーコンを送信することができ、ここでＢＰ切換ＩＥが新しいＢＰへの移動を示すために追加される。ＥＢＴ装備のＷＴＲＵ１１０は、すべての無線帯域内で同時に送信する、または無線帯域ごとに順に送信することができる。したがって、結果は、すべての帯域内のＢＰがＥＢＴ  ＷＴＲＵ１１０のＢＰに調整されることである。これは、この方法で実行するために複数のスーパフレームが必要でありうる。
【００２５】
あるいはＷＴＲＵ１１０は、ＥＢＴ  ＢＰ切換ＩＥ内で規定された時間で規定された値に他のＷＴＲＵのＢＰを同期化するために他のＷＴＲＵに命令する新しいＥＢＴ  ＢＰ切換ＩＥをシステム内の他のＷＴＲＵに導入することができる。したがって、新しいＥＢＴ切換ＩＥは、フィールド内に新しいビーコン期間のタイミングおよびＢＰを変える時間を含む。さらにＷＴＲＵ１１０は、送信されるビーコン内で既定のチャネルおよび既定の拡張チャネルなどのＥＢＴ能力を提供することができる。
【００２６】
機能および要素が特定の組合せで上述されているが、各機能または要素は、他の機能および要素なしに単独でまたは他の機能および要素を有するもしくは有しない様々な組合せで使用されることができる。本明細書で提供される方法または流れ図は、汎用コンピュータまたはプロセッサによって実行されるためにコンピュータ可読記憶メディア内で明白に具現化されるコンピュータプログラム、ソフトウェア、またはファームウェアで実現されることができる。コンピュータ可読記憶メディアの例は、リードオンリメモリ（ＲＯＭ）、ランダムアクセスメモリ（ＲＡＭ）、レジスタ、キャッシュメモリ、半導体メモリ装置、内部のハードディスクおよびリムーバブルディスクなどの磁気メディア、光磁気メディア、ならびにＣＤ−ＲＯＭディスク、およびデジタルバーサタイルディスク（ＤＶＤ）などの光学メディアを含む。
【００２７】
適切なプロセッサは、例として汎用プロセッサ、特殊用途プロセッサ、従来型プロセッサ、デジタルシグナルプロセッサ（ＤＳＰ）、複数のマイクロプロセッサ、ＤＳＰコアと結合した１つもしくは複数のマイクロプロセッサ、コントローラ、マイクロコントローラ、特定用途向け集積回路（ＡＳＩＣ）、フィールドプログラマブルゲートアレー（ＦＰＧＡ）回路、他の任意の種類の集積回路（ＩＣ）、および／または状態マシンを含む。
【００２８】
ソフトウェアと結合したプロセッサが、無線送信受信ユニット（ＷＴＲＵ）、ユーザ装置（ＵＥ）、端末装置、基地局、無線ネットワーク制御装置（ＲＮＣ）、または任意のホストコンピュータ内で使用されるための無線周波数トランシーバを実現するために使用されることができる。ＷＴＲＵは、カメラ、ビデオカメラモジュール、テレビ電話、スピーカホン、振動装置、スピーカ、マイクロホン、テレビトランシーバ、ハンドフリーヘッドセット、キーボード、ブルートゥース（登録商標）モジュール、周波数変調（ＦＭ）ラジオユニット、液晶ディスプレイ（ＬＣＤ）表示ユニット、有機発光ダイオード（ＯＬＥＤ）表示ユニット、デジタル音楽プレーヤ、メディアプレーヤ、ビデオゲーム機モジュール、インターネットブラウザ、および／または任意の無線ローカルエリアネットワーク（ＷＬＡＮ）もしくは超広帯域（ＵＷＢ）モジュールなどのハードウェアならびに／あるいはソフトウェアで実現されるモジュールと共に使用されることができる。
【００２９】
実施形態
１．マルチバンド伝送を可能にするための方法。
２．第１の無線帯域上で送信することをさらに具えた実施形態１と同様の方法。
３．第２の無線帯域上で送信することをさらに具えた前記実施形態のいずれかと同様の方法。
４．第１および第２の無線帯域にわたって調整されたビーコンを送信することをさらに具えた前記実施形態のいずれかと同様の方法。
５．第１および第２の無線帯域にわたってビーコン期間の開始時間を調整することをさらに具えた前記実施形態のいずれかと同様の方法。
６．第１の無線帯域から第２の無線帯域に切り換えることと、第２の無線帯域上で送信する前に第２の無線帯域上のビーコンに関して監視することとをさらに具えた前記実施形態のいずれかと同様の方法。
７．第１の無線帯域は第２の無線帯域に隣接している前記実施形態のいずれかと同様の方法。
８．第１の無線帯域は第２の無線帯域に隣接していない前記実施形態のいずれかと同様の方法。
９．第１の無線帯域上で送信する無線送信／受信ユニット（ＷＴＲＵ）の第１の無線機をさらに具えた前記実施形態のいずれかと同様の方法。
１０．第２の無線帯域上で送信するＷＴＲＵの第２の無線機をさらに備える前記実施形態のいずれかと同様の方法。
１１．ビーコンフレームの存在を決定するために伝送メディアを監視することをさらに具えた前記実施形態のいずれかと同様の方法。
１２．決定に応じてビーコン期間（ＢＰ）を生成することをさらに具えた前記実施形態のいずれかと同様の方法。
１３．第１および第２の無線帯域にわたってビーコンの同期化を調整することをさらに具えた前記実施形態のいずれかと同様の方法。
１４．ビーコンフレームを送信することをさらに具えた前記実施形態のいずれかと同様の方法。
１５．第１および第２の無線帯域内でビーコン期間の開始時間を調整することをさらに具えた前記実施形態のいずれかと同様の方法。
１６．同期化情報を含むようにＢＰ切換情報要素（ＩＥ）を構成することをさらに具えた前記実施形態のいずれかと同様の方法。
１７．拡張帯域幅伝送（ＥＢＴ）ＢＰ切換要素（ＩＥ）をビーコンフレームに追加することをさらに具え、ＥＢＴ  ＢＰ切換要素（ＩＥ）は、新しいビーコンタイミング値および新しいＢＰに変える時間を示すフィールドを含む前記実施形態のいずれかと同様の方法。
１８．ビーコンフレームは、第１および第２の無線帯域上で同時に送信される前記実施形態のいずれかと同様の方法。
１９．ビーコンフレームは、第１および第２の無線帯域上で順に送信される前記実施形態のいずれかと同様の方法。
２０．ビーコンフレームは、ＷＴＲＵのＥＢＴ能力を含む前記実施形態のいずれかと同様の方法。
２１．ＥＢＴ能力は以下：既定のチャネルおよび既定の拡張チャネルのうちのいずれか１つを含む前記実施形態のいずれかと同様の方法。
２２．前記実施形態のいずれかと同様の方法を実行するように構成された無線送信受信ユニット（ＷＴＲＵ）。
２３．受信機をさらに具えた実施形態２２の無線送信受信ユニット（ＷＴＲＵ）。
２４．送信機をさらに具えた実施形態２２〜２３のいずれかと同様の無線送信受信ユニット（ＷＴＲＵ）。
２５．受信機および送信機と通信するプロセッサをさらに具えた実施形態２２〜２４のいずれかと同様の無線送信受信ユニット（ＷＴＲＵ）。
２６．プロセッサは、第１の無線帯域上で送信し、第２の無線帯域上で送信し、第１および第２の無線帯域にわたって調整されたビーコンを送信するように構成されている実施形態２２〜２５のいずれかと同様の無線送信受信ユニット（ＷＴＲＵ）。
２７．プロセッサは、第１および第２の無線帯域にわたってビーコン期間の開始時間を調整するようにさらに構成された実施形態２２〜２６のいずれかと同様の無線送信受信ユニット（ＷＴＲＵ）。
２８．プロセッサは、第１の無線帯域から第２の無線帯域に切り換え、第２の無線帯域上で送信する前に第２の無線帯域上のビーコンに関して監視するように構成された実施形態２２〜２７のいずれかと同様の無線送信受信ユニット（ＷＴＲＵ）。
２９．第１の送信機をさらに具えた実施形態２２〜２８のいずれかと同様の無線送信受信ユニット（ＷＴＲＵ）。
３０．第２の送信機をさらに具えた実施形態２２〜２９のいずれかと同様の無線送信受信ユニット（ＷＴＲＵ）。
３１．受信機ならびに第１および第２の送信機と通信するプロセッサをさらに具えた実施形態２２〜３０のいずれかと同様の無線送信受信ユニット（ＷＴＲＵ）。
３２．プロセッサは、第１の無線帯域上で送信するために第１の送信機を制御し、第２の無線帯域上で送信するために第２の送信機を制御し、ビーコンフレームの存在を決定するために伝送メディアを監視し、決定に応じてビーコン期間（ＢＰ）を生成し、第１および第２の無線帯域にわたってビーコンの同期化を調整し、ビーコンフレームを送信するように構成されている実施形態２２〜３１のいずれかと同様の無線送信受信ユニット（ＷＴＲＵ）。
３３．プロセッサは、同期化情報を含むようにＢＰ切換情報要素（ＩＥ）を構成するように構成された実施形態２２〜３２のいずれかと同様の無線送信受信ユニット（ＷＴＲＵ）。
３４．プロセッサは、拡張帯域幅伝送（ＥＢＴ）ＢＰ切換ＩＥをビーコンフレームに追加するように構成され、ＥＢＴ  ＢＰ切換ＩＥは、新しいビーコンタイミング値および新しいＢＰに変える時間を示すフィールドを含む実施形態２２〜３３のいずれかと同様の無線送信受信ユニット（ＷＴＲＵ）。
３５．プロセッサは、ビーコンフレーム内でＷＴＲＵの拡張帯域幅伝送（ＥＢＴ）能力を送信するようにさらに構成された実施形態２２〜３４のいずれかと同様のＷＴＲＵ。
３６．ＥＢＴ能力は、既定のチャネルおよび既定の拡張チャネルのうちのいずれか１つを含む実施形態２２〜３５のいずれかと同様の無線送信受信ユニット（ＷＴＲＵ）。
【図１】
2010512114.tif 000003
【図２】
2010512114.tif 000004
【図３】
2010512114.tif 000005
【図４】
2010512114.tif 000006
【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
マルチバンド伝送を可能にするための方法であって、
無線送信／受信ユニット（ＷＴＲＵ）の第１の無線機が第１の無線帯域上で送信するステップと、
前記ＷＴＲＵの第２の無線機が第２の無線帯域上で送信するステップと、
ビーコンフレームの存在を決定するために前記伝送メディアを監視するステップと、
前記決定に応じてビーコン期間（ＢＰ）を生成するステップと、
拡張帯域幅伝送（ＥＢＴ）ＢＰ切換情報要素（ＩＥ）をビーコンフレームに追加することであって、前記ＥＢＴ  ＢＰ切換ＩＥは新しいビーコンタイミング値および新しいＢＰに変える時間を示すフィールドを含むステップと、
前記第１および第２の無線帯域上で前記ビーコンフレームを送信するステップと
を備え、前記ビーコンフレームは前記第１および第２の無線帯域上での伝送のための同期化情報を含み、前記第１の無線機は前記第１の無線帯域上で前記ビーコンフレームを送信し、前記第２の無線機は前記第２の無線帯域上で前記ビーコンフレームを送信することを特徴とする方法。
【請求項２】
前記第１および第２の無線帯域上でビーコン期間の開始時間を調整するステップをさらに具えたことを特徴とする請求項１記載の方法。
【請求項３】
前記ビーコンフレームは、前記第１および第２の無線帯域上で同時に送信されることを特徴とする請求項１記載の方法。
【請求項４】
前記ビーコンフレームは、前記第１および第２の無線帯域上で順に送信されることを特徴とする請求項１記載の方法。
【請求項５】
前記ビーコンフレームは、前記ＷＴＲＵのＥＢＴ能力を含むことを特徴とする請求項１記載の方法。
【請求項６】
ＥＢＴ能力は、既定のチャネルおよび既定の拡張チャネルのうちのいずれか１つを含むことを特徴とする請求項５記載の方法。
【請求項７】
受信機と、
第１の送信機と、
第２の送信機と、
前記受信機ならびに前記第１および第２の送信機と通信するプロセッサと
を具え、
前記プロセッサは、
第１の無線帯域上で送信するために前記第１の送信機を制御し、第２の無線帯域上で送信するために前記第２の送信機を制御し、ビーコンフレームの存在を決定するために前記伝送メディアを監視し、前記決定に応じてビーコン期間（ＢＰ）を生成し、拡張帯域幅伝送（ＥＢＴ）ＢＰ切換情報要素（ＩＥ）をビーコンフレームに追加することであって、前記ＥＢＴ  ＢＰ切換要素（ＩＥ）は新しいビーコンタイミング値および新しいＢＰに変える時間を示すフィールドを含み、前記第１および第２の無線帯域上で前記ビーコンフレームを送信することであって、前記ビーコンフレームは前記第１および第２の無線帯域上での伝送のための同期化情報を含み、前記第１の無線機は前記第１の無線帯域上で前記ビーコンフレームを送信し、前記第２の無線機は前記第２の無線帯域上で前記ビーコンフレームを送信することを特徴とする無線送信／受信ユニット（ＷＴＲＵ）。
【請求項８】
前記プロセッサは、前記第１および第２の無線帯域上でビーコン期間の開始時間を調整するようにさらに構成されていることを特徴とする請求項７記載の無線送信受信ユニット（ＷＴＲＵ）。
【請求項９】
前記プロセッサは、前記ビーコンフレーム内で前記ＷＴＲＵの拡張帯域幅伝送（ＥＢＴ）能力を送信するようにさらに構成されていることを特徴とする請求項７記載の無線送信受信ユニット（ＷＴＲＵ）。
【請求項１０】
前記ＥＢＴ能力は、既定のチャネルおよび既定の拡張チャネルのうちのいずれか１つを含むことを特徴とする請求項９記載の無線送信受信ユニット（ＷＴＲＵ）。
【国際調査報告】
2010512114.tif 000007
2010512114.tif 000008
2010512114.tif 000009